(57)【要約】【課題】気体の温度を所定温度に保持し、且つ気体の濃度を均一化した状態で、サンプリングバッグ内から気体を捕集することが可能な揮発性有機化合物捕集装置の提供。【解決手段】試料２と気体とが封入されたサンプリングバッグ３を恒温槽４内に配置し、サンプリングバッグ３を恒温槽４内に配置したまま、所定温度で所定時間加熱した場合に試料２が放散する揮発性有機化合物を捕集する揮発性有機化合物捕集装置である。制御手段５は、恒温槽内温度検出手段１８が検出した恒温槽４内の温度が所定温度に維持されるように、恒温槽４内を加熱する恒温槽加熱手段１７と、電磁波を前記サンプリングバッグ３に向けて照射することによりサンプリングバッグ３内を加熱するサンプリングバッグ加熱手段１９とを制御する。【選択図】図２
2018044885.tif 000002
【特許請求の範囲】
【請求項１】
試料と気体とが封入されたサンプリングバッグを恒温槽内に配置し、前記サンプリングバッグを前記恒温槽内に配置したまま、所定温度で所定時間加熱した場合に前記試料が放散する揮発性有機化合物を捕集する揮発性有機化合物捕集装置であって、
前記恒温槽内を加熱する恒温槽加熱手段と、
前記恒温槽内の温度を検出する恒温槽内温度検出手段と、
電磁波を前記サンプリングバッグに向けて照射することにより前記サンプリングバッグ内を加熱するサンプリングバッグ加熱手段と、
前記恒温槽内温度検出手段が検出した前記恒温槽内の温度が前記所定温度に維持されるように、前記恒温槽加熱手段と前記サンプリングバッグ加熱手段とを制御する制御手段と、を備える
ことを特徴とする揮発性有機化合物捕集装置である。
【請求項２】
試料と気体とが封入されたサンプリングバッグを恒温槽内に配置し、前記サンプリングバッグを前記恒温槽内に配置したまま、所定温度で所定時間加熱した場合に前記試料が放散する揮発性有機化合物を捕集する揮発性有機化合物捕集装置であって、
前記恒温槽内を加熱する恒温槽加熱手段と、
前記恒温槽内の温度を検出する恒温槽内温度検出手段と、
電磁波を前記サンプリングバッグに向けて照射することにより前記サンプリングバッグ内を加熱するサンプリングバッグ加熱手段と、
前記サンプリングバッグ内の温度を検出するサンプリングバッグ内温度検出手段と、
前記恒温槽内温度検出手段が検出した前記恒温槽内の温度が前記所定温度に維持されるように、前記恒温槽加熱手段を制御し、且つ前記サンプリングバッグ内温度検出手段が検出した前記サンプリングバッグ内の温度が前記所定温度に維持されるように、前記サンプリングバッグ加熱手段を制御する制御手段と、を備える
ことを特徴とする揮発性有機化合物捕集装置である。
【発明の詳細な説明】
【技術分野】
【０００１】
本発明は、揮発性有機化合物捕集装置に関する。
【背景技術】
【０００２】
特許文献１には、部品と清浄な気体（空気等）とを密閉式のバッグ内に封入し、一定時間加熱後にバッグ内の気体を分析して揮発性有機化合物（ＶＯＣ）の種類と濃度とを測定することで、製品に使用される部品から放散されるＶＯＣを測定する揮発性有機化合物測定方法が記載されている。電源トランス（部品）をテドラーバッグ（密閉式のバッグ）に入れ、真空引きし、テドラーバッグ内に清浄な窒素を封入する。電源トランス及び窒素を封入したテドラーバッグを温度が６０℃の恒温槽に入れ、１時間経過した後、恒温槽から出して気体をサンプリングし、別のバッグに移して常温まで冷却する。その後、バッグから常温の気体をサンプリングし、ＶＯＣ測定器でＶＯＣ（キシレン）の濃度を測定する。
【先行技術文献】
【特許文献】
【０００３】
【特許文献１】特開２００９−１９８４８６号公報
【発明の概要】
【発明が解決しようとする課題】
【０００４】
しかし、特許文献１に記載の方法では、テドラーバッグ（サンプリングバッグ）を恒温槽から取出して気体をサンプリング（捕集）するので、サンプリングバッグ内の気体を捕集する際に気体の温度が恒温槽内の所定温度から変化し、正確な測定を行うことができない可能性がある。
【０００５】
係る不具合は、サンプリングバッグを恒温槽から取出さずに、サンプリングバッグ内の気体を捕集することによって解消することが可能であるが、この場合、サンプリングバッグ内は密閉空間であって、気体が流動しないので、サンプリングバッグ内の気体の濃度が不均一になるおそれがある。サンプリングバッグ内の気体の濃度の均一化は、サンプリングバッグを恒温槽から取出した後に数回押す等の作業によって可能であるが、サンプリングバッグを恒温槽から取出すと、サンプリングバッグ内の気体の温度が変化するので、従来文献に記載の方法と同様の不具合が生じるおそれがある。
【０００６】
そこで、本発明では、気体の温度を所定温度に保持し、且つ気体の濃度を均一化した状態で、サンプリングバッグ内から気体を捕集することが可能な揮発性有機化合物捕集装置の提供を目的とする。
【課題を解決するための手段】
【０００７】
上記目的を達成すべく、本発明の第１の態様の揮発性有機化合物捕集装置は、試料と気体とが封入されたサンプリングバッグを恒温槽内に配置し、サンプリングバッグを恒温槽内に配置したまま、所定温度で所定時間加熱した場合に試料が放散する揮発性有機化合物を捕集する揮発性有機化合物捕集装置であって、恒温槽加熱手段と恒温槽内温度検出手段とサンプリングバッグ加熱手段と制御手段とを備える。
【０００８】
恒温槽加熱手段は、恒温槽内を加熱する。恒温槽内温度検出手段は、恒温槽内の温度を検出する。サンプリングバッグ加熱手段は、電磁波をサンプリングバッグに向けて照射することによりサンプリングバッグ内を加熱する。制御手段は、恒温槽内温度検出手段が検出した恒温槽内の温度が所定温度に維持されるように、恒温槽加熱手段とサンプリングバッグ加熱手段とを制御する。
【０００９】
上記構造では、恒温槽内温度検出手段が検出した恒温槽内の温度が所定温度よりも低い場合や高い場合、サンプリングバッグ内の温度が所定温度に維持されるように制御手段が恒温槽加熱手段とサンプリングバッグ加熱手段とを制御する。したがって、サンプリングバッグ内の温度が所定温度に維持された状態でサンプリングバッグ内の気体を捕集することができる。
【００１０】
また、サンプリングバッグ加熱手段が電磁波を照射することによってサンプリングバッグ内を加熱するので、サンプリングバッグ内の気体に温度差が発生し、サンプリンバッグ内に対流が生じる。これにより、サンプリングバッグ内を気体が循環して撹拌され、気体の濃度を均一化した状態でサンプリングバッグ内から気体を捕集することができる。
【００１１】
また、本発明の第２の態様の揮発性有機化合物捕集装置は、試料と気体とが封入されたサンプリングバッグを恒温槽内に配置し、サンプリングバッグを恒温槽内に配置したまま、所定温度で所定時間加熱した場合に試料が放散する揮発性有機化合物を捕集する揮発性有機化合物捕集装置であって、恒温槽加熱手段と恒温槽内温度検出手段とサンプリングバッグ加熱手段とサンプリングバッグ内温度検出手段と制御手段とを備える。
【００１２】
恒温槽加熱手段は、恒温槽内を加熱する。恒温槽内温度検出手段は、恒温槽内の温度を検出する。サンプリングバッグ加熱手段は、電磁波をサンプリングバッグに向けて照射することによりサンプリングバッグ内を加熱する。サンプリングバッグ内温度検出手段は、サンプリングバッグ内の温度を検出する。制御手段は、恒温槽内温度検出手段が検出した恒温槽内の温度が所定温度に維持されるように、恒温槽加熱手段を制御し、サンプリングバッグ内温度検出手段が検出したサンプリングバッグ内の温度が所定温度に維持されるように、サンプリングバッグ加熱手段を制御する。
【００１３】
上記構造では、サンプリングバッグ内温度検出手段が検出したサンプリングバッグ内の温度が所定温度よりも低い場合や高い場合、サンプリングバッグ内の温度が所定温度に維持されるように制御手段がサンプリングバッグ加熱手段を制御する。したがって、サンプリングバッグ内の温度が所定温度に維持された状態でサンプリングバッグ内の気体を捕集することができる。
【００１４】
また、制御手段は、サンプリングバッグ内温度検出手段が検出したサンプリングバッグ内の温度が所定温度に維持されるようにサンプリングバッグ加熱手段を制御するので、例えば、サンプリングバッグ内の温度を検出せずに恒温槽の温度をサンプリングバッグ内の温度と見做して恒温槽内の温度を所定温度に制御する場合と比べて、サンプリングバッグ内の温度が所定温度に正確に維持された状態でサンプリングバッグ内の気体を捕集することができる。従って、恒温槽内の温度は所定温度に維持されているが、サンプリングバッグ内の温度は所定温度から変動した場合であっても、サンプリングバッグ内の温度を直ぐに所定温度に戻してサンプリングバッグ内の気体を捕集することができる。
【００１５】
また、サンプリングバッグ加熱手段が電磁波を照射することによってサンプリングバッグ内を加熱するので、サンプリングバッグ内の気体に温度差が発生し、サンプリンバッグ内に対流が生じる。これにより、サンプリングバッグ内を気体が循環して撹拌され、気体の濃度を均一化した状態でサンプリングバッグ内から気体を捕集することができる。
【００１６】
また、制御手段は、恒温槽加熱手段とサンプリングバッグ加熱手段とをそれぞれ独立して制御するので、恒温槽加熱手段を制御する恒温槽用の制御手段とサンプリングバッグ加熱手段を制御するサンプリングバッグ用の制御手段とを別々に設けることができる。これにより、例えば、恒温槽加熱手段及び恒温槽用の制御手段を備える既存の恒温槽に、サンプリングバッグ加熱手段及びサンプリングバッグ用の制御手段を後付けによって設けることができ、既存の恒温槽を簡易に活用することができる。
【発明の効果】
【００１７】
本発明によれば、気体の温度を所定温度に保持し、且つ気体の濃度を均一化した状態で、サンプリングバッグ内から気体を捕集することができる。
【図面の簡単な説明】
【００１８】
【図１】本発明の第１実施形態に係る揮発性有機化合物捕集装置の斜視図である。
【図２】本発明の第１実施形態に係る揮発性有機化合物捕集装置の模式図である。
【図３】図２の揮発性有機化合物捕集装置のヒータ制御処理を示すフローチャートである。
【図４】本発明の第２実施形態に係る揮発性有機化合物捕集装置の模式図である。
【図５】図４の揮発性有機化合物捕集装置のヒータ制御処理を示すフローチャートである。
【発明を実施するための形態】
【００１９】
以下、本発明の第１実施形態の揮発性有機化合物捕集装置１について、図面を参照して説明する。図１は、第１実施形態の揮発性有機化合物捕集装置１の斜視図である。なお、以下説明において、上下左右方向は、恒温槽４を前方（開閉扉側）から見た各方向を示している。また、図中の矢印は、気体の流れ方向を示している。
【００２０】
図１及び図２に示すように、本実施形態の揮発性有機化合物捕集装置１は、試料２から放散される揮発性有機化合物（ＶＯＣ：Volatile Organic Compounds）の放散量や濃度を測定するための気体を捕集するものであり、試料２と不活性な気体（本実施形態では窒素）とが封入されるサンプリングバッグ３と恒温槽４と捕集管６と捕集ポンプ７とを備える。
【００２１】
サンプリングバッグ３は、バッグ本体１０とスリーブ１１とを有する。バッグ本体１０は、バッグ本体１０の短辺の一端縁を開口する開口部１４と、バッグ本体１０の短辺の他端縁及び長辺の両端縁をシールするシール部１３とが設けられ、略矩形袋状に形成される。開口部１４は、クリップ１２がバッグ本体１０の短辺の一端部を挟み込むように取付けられることによって塞がれる。これにより、サンプリングバッグ３は密閉される。なお、本実施形態では、サンプリングバッグ３にバッグ本体１０の短辺の一端縁を開口する開口部１４が設けられる場合を例示したが、これに限定されるものではなく、バッグ本体１０の四辺すべてがシール部１３であり、サンプリングバッグ３内に入れる試料２の大きさに合わせてバッグ本体１０を切断して開口を形成し、試料２を入れたあとに形成された開口をクリップ１２により塞ぐ構造などであってもよい。スリーブ１１は、バルブ１５を有し、バッグ本体１０の長辺の一端縁に設けられてサンプリングバッグ３の内部空間と外部空間とを連通する。スリーブ１１の外部空間側には、後述する捕集管６が捕集管連結チューブ８を介して接続される。
【００２２】
恒温槽４は、恒温槽本体１６と恒温槽ヒータ（恒温槽加熱手段）１７と恒温槽内温度検出センサ（恒温槽内温度検出手段）１８と赤外線ヒータ（サンプリングバッグ加熱手段）１９とＥＣＵ（制御手段）５とを備える。
【００２３】
恒温槽本体１６は、前後で対向して起立する前壁面２０及び後壁面２１と、左右で対向して起立する左側壁面２２及び右側壁面２３と、上方の天井面２４と、下方の床面２５とを有する直方体形状であり、恒温槽本体１６の内部をバッグ配置空間３０に区画する。前壁面２０には、サンプリングバッグ３を出し入れするための開閉扉２６が設けられている。恒温槽本体１６の各面２０〜２５は、それぞれ互いに離間して並設される外板２８と内板２７とによって形成されている。外板２７は、熱伝導率が低い耐熱性の金属材や樹脂材等によって形成され、内板２８は、外板２７の内側に配置され、熱伝導率が高い耐熱性の金属材等によって形成されている。恒温槽本体１６の天井面２４には、バッグ配置空間３０と恒温槽本体１６の外部とを連通する捕集口２９が形成される。捕集口２９には、サンプリングバッグ３のスリーブ１１と後述する捕集管６とを接続する捕集管連結チューブ８が挿通される。なお、本実施形態では、サンプリングバッグ３を床面２５上に直接配置しているが、大きさや形状に応じて設置台を用いてもよい。
【００２４】
恒温槽ヒータ１７は、通電により発熱するものであり、恒温槽本体１６の後壁面２１の外板２８と内板２７との間に内板２７に沿って設けられている。恒温槽ヒータ１７の通電は、ＥＣＵ５によって制御される。なお、恒温槽ヒータ１７の配置場所は、上記に限定されず、例えば、恒温槽本体１６の左側壁面２２及び右側壁面２３の外板２８と内板２７との間に内板２７に沿って設けられてもよい。
【００２５】
恒温槽内温度検出センサ１８は、恒温槽本体１６の底面２５の略中心に配置される。恒温槽内温度検出センサ１８は、恒温槽本体１６のバッグ配置空間３０内の温度を検出し、検出したバッグ配置空間３０内の温度をＥＣＵ５に送信する。すなわち、恒温槽内温度検出センサ１８は、バッグ配置空間３０内の温度を検出する恒温槽内温度検出手段として機能する。なお、恒温槽内温度検出センサ１８の配置場所は、上記に限定されず、例えば、恒温槽本体１６の天井面２４の略中心に配置されてもよい。
【００２６】
赤外線ヒータ１９は、恒温槽本体１６の後壁面２１の下端部に設けられ、通電により赤外線をサンプリングバッグ３へ照射し、サンプリングバッグ３内の分子（本実施形態では窒素分子）を振動させることによってサンプリングバッグ３内を加熱する。赤外線ヒータ１９の通電は、ＥＣＵ５によって制御される。なお、赤外線ヒータ１９の配置場所は、上記に限定されず、例えば、恒温槽本体１６の左側壁面２２及び右側壁面２３の下端部に設けられてもよい。
【００２７】
ＥＣＵ５は、恒温槽内温度検出センサ１８が検出する恒温槽４のバッグ配置空間３０内の温度に基づいて恒温槽ヒータ１７と赤外線ヒータ１９とを通電制御するヒータ制御処理を実行する。恒温槽内温度検出センサ１８が検出した温度が所定温度よりも高かった場合、ＥＣＵ５は、恒温槽ヒータ１７と赤外線ヒータ１９とへの通電を停止する。恒温槽内温度検出センサ１８が検出した温度が所定温度よりも低かった場合、ＥＣＵ５は、恒温槽ヒータ１７と赤外線ヒータ１９とを通電する。これにより、測定時に恒温槽内温度検出センサ１８が検出した温度が所定温度より高くなった場合、ＥＣＵ５が恒温槽ヒータ１７と赤外線ヒータ１９とへの通電を終了することによって、恒温槽ヒータ１７と赤外線ヒータ１９が停止し、バッグ配置空間３０内の温度が低下する。一方、測定時に恒温槽内温度検出センサ１８が検出した温度が所定温度より低くなった場合、ＥＣＵ５が恒温槽ヒータ１７と赤外線ヒータ１９とを通電することによって、恒温槽ヒータ１７と赤外線ヒータ１９とが作動し、バッグ配置空間３０内の温度が上昇する。したがって、バッグ配置空間３０内の温度は、所定温度に維持される。
【００２８】
捕集管６は、恒温槽４の上方に配置された状態で、恒温槽本体１６の外板２８に固定される捕集管支持部３５を介して恒温槽４に支持される。捕集管６の一端部は、捕集管連結チューブ８を介してサンプリングバッグ３のスリーブ１１に接続され、捕集管６の他端部はポンプ連結チューブ９を介して後述する捕集ポンプ７に接続される。捕集管６は、捕集ポンプ７によってサンプリングバッグ３内の気体が吸収され、揮発性有機化合物を吸着する。
【００２９】
捕集ポンプ７は、ポンプ連結チューブ９を介して捕集管６の他端部に接続され、捕集管６の一端部に捕集管連結チューブ８を介して接続されたサンプリングバッグ３内の気体を捕集管６内に吸引する。
【００３０】
揮発性有機化合物を捕集する際には、作業者は、サンプリングバッグ３のバッグ本体１０の開口部１４より試料２を収容し、バッグ本体１０の短辺の一端部にクリップ１２を取付けることによりサンプリングバッグ３を密閉する。次に、作業者は、サンプリングバッグ３内の気体をスリーブ１１より排出してから窒素をスリーブ１１より一定量封入し、バルブ１５を閉める。その後、作業者は、ＥＣＵ５によりバッグ配置空間３０内が所定温度（本実施形態では６５℃）に保持された恒温槽４にサンプリングバッグ３を入れ、スリーブ１１に捕集管連結チューブ８を介して捕集管６を接続し、測定を開始する。６５℃に加熱された恒温槽４内で所定時間（本実施形態では２時間）経過したのち、作業者は、恒温槽４内でバルブ１５を開き、捕集ポンプ７を作動させてサンプリングバッグ３内の気体を捕集管６内に吸引する。これにより、捕集管６内にサンプリングバッグ３内の気体に含まれる揮発性有機化合物が吸着される。捕集管６内に吸着捕集された揮発性有機化合物は、Ｐ＆ＴやＧＣ−ＭＳ等にて分析される。
【００３１】
次に、ＥＣＵ５が実行するヒータ制御処理について、図３のフローチャートに基づいて説明する。本処理は、試料２の測定中に所定時間毎に実行される。
【００３２】
本処理が開始されると、ＥＣＵ５は、先ず恒温槽４のバッグ配置空間３０内の温度を取得する（ステップＳ１）。続いて、ＥＣＵ５は、恒温槽４のバッグ配置空間３０内の温度が所定温度以上か否かを判定する（ステップＳ２）。恒温槽４のバッグ配置空間３０内の温度が所定温度以上である場合（ステップＳ２：ＹＥＳ）はステップＳ３へ進み、恒温槽４のバッグ配置空間３０内の温度が所定温度未満である場合（ステップＳ２：ＮＯ）はステップＳ４へ進む。ステップＳ３では、恒温槽ヒータ１７と赤外線ヒータ１９とへの通電を停止する。ステップＳ４へ進んだ場合は、恒温槽ヒータ１７と赤外線ヒータ１９とを通電する。
【００３３】
上記のように構成された揮発性有機化合物捕集装置１では、恒温槽内温度検出センサ１８が検出したバッグ配置空間３０内の温度が所定温度よりも低い場合や高い場合、サンプリングバッグ３内の温度が所定温度に維持されるようにＥＣＵ５が恒温槽ヒータ１７と赤外線ヒータ１９とを制御する。したがって、サンプリングバッグ３内の温度が所定温度に維持された状態でサンプリングバッグ３内の気体を捕集することができる。
【００３４】
また、赤外線ヒータ１９が電磁波を照射することによってサンプリングバッグ３内を加熱するので、サンプリングバッグ３内の気体に温度差が発生し、サンプリンバッグ３内に対流が生じる。これにより、サンプリングバッグ３内を気体が循環して撹拌され、気体の濃度を均一化した状態でサンプリングバッグ３内から気体を捕集することができる。
【００３５】
次に、本発明の第２実施形態の揮発性有機化合物捕集装置３１について、図４を参照して説明する。図４は、第２実施形態の揮発性有機化合物捕集装置３１の模式図である。本実施形態は、バッグ内温度検出センサ（サンプリングバッグ内温度検出手段）３２を備え、ＥＣＵ５が恒温槽ヒータ１７と赤外線ヒータ１９とをそれぞれ独立して制御する点で、上記第１実施形態と相違する。なお、上記第１実施形態と同様の構成には、同一の符号を付してその詳細な説明を省略する。
【００３６】
図４に示すように、バッグ内温度検出センサ３２は、バッグ配置空間３０内に配置されたサンプリングバッグ３の近傍に位置するように配置される。バッグ内温度検出センサ３２は、サンプリングバッグ３内の温度を検出し、検出したサンプリングバッグ３内の温度をＥＣＵ５に送信する。すなわち、バッグ内温度検出センサ３２は、サンプリングバッグ３内の温度を検出するサンプリングバッグ内温度検出手段として機能する。
【００３７】
ＥＣＵ５は、恒温槽内温度検出センサ１８が検出するバッグ配置空間３０内の温度に基づいて恒温槽ヒータ１７を通電制御する恒温槽用ＥＣＵ３３と、バッグ内温度検出センサ３２が検出するサンプリングバッグ３内の温度に基づいて赤外線ヒータ１９を通電制御するサンプリングバッグ用ＥＣＵ３４とを備え、恒温槽ヒータ１７と赤外線ヒータ１９とを通電制御するヒータ制御処理を実行する。恒温槽用ＥＣＵ３３は、恒温槽内温度検出センサ１８が検出した温度が所定温度よりも高かった場合、恒温槽ヒータ１７の通電を停止する。一方、恒温槽内温度検出センサ１８が検出した温度が所定温度よりも低かった場合、ＥＣＵ５は、恒温槽ヒータ１７への通電を開始する。サンプリングバッグ用ＥＣＵ３４は、バッグ内温度検出センサ３２が検出した温度が所定温度よりも高かった場合、赤外線ヒータ１９の通電を停止する。一方、バッグ内温度検出センサ３２が検出した温度が所定温度よりも低かった場合、ＥＣＵ５は、赤外線ヒータ１９を通電する。これにより、測定時に恒温槽内温度検出センサ１８が検出した温度が所定温度より高くなった場合、恒温槽用ＥＣＵ３３が恒温槽ヒータ１７への通電を終了することによって、恒温槽ヒータ１７が停止し、バッグ配置空間３０内の温度が低下する。一方、測定時に恒温槽内温度検出センサ１８が検出した温度が所定温度より低くなった場合、恒温槽用ＥＣＵ３３が恒温槽ヒータ１７への通電を開始することによって、恒温槽ヒータ１７が作動し、バッグ配置空間３０内の温度が上昇する。また、測定時にバッグ内温度検出センサ３２が検出した温度が所定温度より高くなった場合、サンプリングバッグ用ＥＣＵ３４が赤外線ヒータ１９への通電を終了することによって、赤外線ヒータ１９が停止し、サンプリングバッグ３内の温度が低下する。一方、測定時にバッグ内温度検出センサ３２が検出した温度が所定温度より低くなった場合、サンプリングバッグ用ＥＣＵ３４が赤外線ヒータ１９への通電を開始することによって、赤外線ヒータ１９が作動し、サンプリングバッグ３内の温度が所定温度まで上昇する。したがって、バッグ配置空間３０内及びサンプリングバッグ３内の温度は、所定温度に維持される。
【００３８】
次に、恒温槽用ＥＣＵ３３とサンプリングバッグ用ＥＣＵ３４とが実行するヒータ制御処理について、図５のフローチャートに基づいて説明する。本処理は、試料２の測定中に所定時間毎に実行される。
【００３９】
本処理が開始されると、先ず恒温槽用ＥＣＵ３３が恒温槽４のバッグ配置空間３０内の温度を取得する（ステップＳ１）。続いて、恒温槽用ＥＣＵ３３は、恒温槽４のバッグ配置空間３０内の温度が所定温度以上か否かを判定する（ステップＳ２）。恒温槽４のバッグ配置空間３０内の温度が所定温度以上である場合（ステップＳ２：ＹＥＳ）はステップＳ３へ進み、恒温槽４のバッグ配置空間３０内の温度が所定温度未満である場合（ステップＳ２：ＮＯ）はステップＳ４へ進む。ステップＳ３では、恒温槽用ＥＣＵ３３が恒温槽ヒータ１７への通電を停止する。ステップＳ４へ進んだ場合は、恒温槽用ＥＣＵ３３が恒温槽ヒータ１７を通電する。続いて、サンプリングバッグ用ＥＣＵ３４がサンプリングバッグ３内の温度を取得する（ステップＳ５）。次に、サンプリングバッグ用ＥＣＵ３４は、サンプリングバッグ３内の温度が所定温度以上か否かを判定する（ステップＳ６）。サンプリングバッグ３内の温度が所定温度以上である場合（ステップＳ６：ＹＥＳ）はステップＳ７へ進み、サンプリングバッグ３内の温度が所定温度未満である場合（ステップＳ６：ＮＯ）はステップＳ８へ進む。ステップＳ７では、サンプリングバッグ用ＥＣＵ３４が赤外線ヒータ１９への通電を停止する。ステップＳ８へ進んだ場合は、サンプリングバッグ用ＥＣＵ３４が赤外線ヒータ１９を通電する。
【００４０】
上記構造では、バッグ内温度検出センサ３２が検出したサンプリングバッグ３内の温度が所定温度よりも低い場合や高い場合、サンプリングバッグ３内の温度が所定温度に維持されるようにＥＣＵ５のサンプリングバッグ用ＥＣＵ３４が赤外線ヒータ１９を制御する。したがって、サンプリングバッグ３内の温度が所定温度に維持された状態でサンプリングバッグ３内の気体を捕集することができる。
【００４１】
また、サンプリングバッグ用ＥＣＵ３４は、バッグ内温度検出センサ３２が検出したサンプリングバッグ３内の温度が所定温度に維持されるように赤外線ヒータ１９を制御するので、例えば、サンプリングバッグ３内の温度を検出せずにバッグ配置空間３０内の温度をサンプリングバッグ３内の温度と見做してバッグ配置空間３０内の温度を所定温度に制御する場合と比べて、サンプリングバッグ３内の温度が所定温度に正確に維持された状態でサンプリングバッグ３内の気体を捕集することができる。従って、バッグ配置空間３０内の温度は所定温度に維持されているが、サンプリングバッグ３内の温度は所定温度から変動した場合であっても、サンプリングバッグ３内の温度を直ぐに所定温度に戻してサンプリングバッグ３内の気体を捕集することができる。
【００４２】
また、赤外線ヒータ１９が電磁波を照射することによってサンプリングバッグ３内を加熱するので、サンプリングバッグ３内の気体に温度差が発生し、サンプリンバッグ３内に対流が生じる。これにより、サンプリングバッグ３内を気体が循環して撹拌され、気体の濃度を均一化した状態でサンプリングバッグ３内から気体を捕集することができる。
【００４３】
また、ＥＣＵ５は、恒温槽ヒータ１７と赤外線ヒータ１９とをそれぞれ独立して制御するので、恒温槽ヒータ１７を制御する恒温槽用ＥＣＵ３３と赤外線ヒータ１９を制御するサンプリングバッグ用ＥＣＵ３４とを別々に設けることができる。これにより、例えば、恒温槽ヒータ１７及び恒温槽用ＥＣＵ３３を備える既存の恒温槽４に、赤外線ヒータ１９及びサンプリングバッグ用ＥＣＵ３４を後付けによって設けることができ、既存の恒温槽４を簡易に活用することができる。
【００４４】
なお、上記各実施形態では、バッグ配置空間３０内にサンプリングバッグ３を１つ配置する場合を例示したが、バッグ配置空間３０内にサンプリングバッグ３を２つ以上配置してもよい。この場合、ポンプ連結チューブ９をサンプリングバッグの数だけ分岐させ、各分岐端部にそれぞれ捕集管を連結し、恒温槽本体１６の天井面２４に捕集口をサンプリングバッグの数だけ形成し、各捕集口に捕集管連結チューブをそれぞれ挿通させた状態で、各捕集管連結チューブの一端部に各サンプリングバッグを連結し、各捕集管連結チューブの他端部に各捕集管を連結すればよい。また、この場合、赤外線ヒータを各サンプリンバッグに対応するように複数設けてもよく、１つの赤外線ヒータによって全てのサンプリングバッグを加熱してもよい。
【００４５】
また、本実施形態では、恒温槽ヒータ１７及び赤外線ヒータ１９を常時作動させているが、赤外線ヒータ１９を常時作動させず、恒温槽ヒータ１７を常時作動させて恒温槽内を所定温度に加熱してもよい。この場合、赤外線ヒータ１９を所定時間の経過時又は経過の直前に起動させればよい。また、赤外線ヒータ１９は、手動で起動させてもよく、タイマープログラムをＥＣＵ５に記憶させ、このプログラムに従って起動させてもよい。
【００４６】
また、バッグ本体１０の材料は、サンプリングバッグ３内に入れる試料２から発生するガスの種類により適宜選択される。
【００４７】
また、恒温槽本体１６の形状は、上記に限定されず、円筒形状等であってもよい。
【００４８】
以上、本発明者によってなされた発明を適用した実施形態について説明したが、この実施形態による本発明の開示の一部をなす論述及び図面により本発明は限定されることはない。すなわち、この実施形態に基づいて当業者等によりなされる他の実施形態、実施例及び運用技術等は全て本発明の範疇に含まれることは勿論であることを付け加えておく。
【産業上の利用可能性】
【００４９】
本発明は、住宅や自動車、航空機などに使用される材料や部品等から放散される揮発性有機化合物の放散量等の測定に有効である。
【符号の説明】
【００５０】
１，３１  揮発性有機化合物捕集装置
２  試料
３  サンプリングバッグ
４  恒温槽
５  ＥＣＵ（制御手段）
６  捕集管
７  捕集ポンプ
８  捕集管連結チューブ
９  ポンプ連結チューブ
１４  開口部
１７  恒温槽ヒータ（恒温槽加熱手段）
１８  恒温槽内温度検出センサ（恒温槽内温度検出手段）
１９  赤外線ヒータ（サンプリングバッグ加熱手段）
２９  捕集口
３０  バッグ配置空間
３２  バッグ内温度検出センサ（サンプリングバッグ内温度検出手段）
３３  恒温槽用ＥＣＵ
３４  サンプリングバッグ用ＥＣＵ
【図１】
2018044885.tif 000003
【図２】
2018044885.tif 000004
【図３】
2018044885.tif 000005
【図４】
2018044885.tif 000006
【図５】
2018044885.tif 000007